(57)【要約】      （修正有）【課題】ゼーベック効果を利用して熱湯を使用する飲料製品の熱量を電気エネルギーに転換する温度差発電を用いた熱エネルギー撹拌カップを提供する。【解決手段】本品は、カップ本体１、内釜２（連結カバー３を通じてカップ本体の内部に固定）、および転換装置４（カップ本体の内部且つ内釜の下部に設置）を含む。転換装置は取付板４１及び固定リテーナー４２を含み、取付板には電気モーター４３が取り付けられ、モーターの出力軸の一端に回転盤４４が設置され、回転盤の両側には第一磁石４５が設置され、固定リテーナーのトップには金属リテーナー４６がある。モーターを起動することで飲み物を撹拌させ、外部電源が不要で更なる省エネ環境保護を強化できる。内側内部に撹拌設備を設置しておらず洗浄も便利である。【選択図】図１
0003229116.tif 000002
【実用新案登録請求の範囲】
【請求項１】
温度差発電を用いた熱エネルギー撹拌カップの一種で、特徴としては、以下の物を含める：カップ本体。内釜、連結カバーを通じてカップ本体の内部に固定する。転換装置、カップ本体の内部且つ内釜の下部に設置する。既述の転換装置は取付板及び固定リテーナーを含み、既述の取付板には電気モーターがあり、既述のモーターの出力軸の一端に回転盤が設置され、既述の転盤の両側には第一磁石があり、既述の固定リテーナーのトップには金属リテーナーがある。既述の金属リテーナーの頂部は第一導熱シリカゲルを通じて温度差発電チップに繋がり、既述の温度差発電チップの頂部には第二導熱シリカゲルが粘着してあり、既述の第二導熱シリカゲルの頂部は既述の内釜の底部に接触し、既述の温度差発電チップは導線を通じてと取付板を通じて取付板に連結する。回転子、内釜の内部に設置し、両側には第二磁石がある。
【請求項２】
権利要求１に拠る温度差利用の発電の熱エネルギー撹拌カップは、その特徴として、取付板は内釜内壁の底部に固定してあり、固定リテーナーはカップ本体内壁の両側の間且つ取付板上側に固定してある。
【請求項３】
権利要求１に拠ると既述の温度差利用発電の熱エネルギー撹拌カップ、その特徴としては、既述の内釜のトップ部分の設置には密封蓋があり、既述の連結カバーの片側の設置にはハンドルがあり、既述のカップ本体の底部粘接には滑り止めパッドがある。
【請求項４】
権利要求１に拠ると既述の温度差利用発電の熱エネルギーカップ、その特徴としては、既述のモーター出力軸の一端の固定連結には連結棒があり、既述の温度差発電チップ、固定リテーナー、金属リテーナー、第一導熱シリカゲル、第二導熱シリカゲル上及び内釜の底部には等しく通孔が開けてある。
【請求項５】
権利要求４に拠る温度差利用発電の熱エネルギー撹拌カップは、その特徴として、既述の連結棒の頂端通孔を通じて既述の内釜内部まで延ばしてあり、既述の連結棒の頂端の固定連結には組立部品があり、既述の組立部品には回転軸があり、既述の回転軸の両側には撹拌葉がある。
【請求項６】
権利要求５に拠る温度差利用発電の熱エネルギー撹拌カップは、その特徴として、既述の組立部品は固定具を含め、既述の固定具内壁の底部は弾性具を通じてスクイーズブロックが設置してあり、既述のスクイーズブロックの周辺側面の粘接にはゴムリングがあり、既述の固定具の頂部には取付孔が開けてあり、既述の取付孔内表面の両側には接続穴がある。
【請求項７】
権利要求６に既述の温度差利用発電の熱エネルギー撹拌カップ、その特徴として、既述の固定具内壁のトップ部分の両側には制限スロットがあり、既述の回転軸両側の底部にはカードブロックがある。
【考案の詳細な説明】
【技術分野】
【０００１】  本実用新案は撹拌カップ領域に及び、特に温度差利用発電の熱エネルギー撹拌カップの一種に及ぶ。
【背景技術】
【０００２】  撹拌カップは主に即溶性飲料に使われ熱湯を注いだ後に、それに対して均等に撹拌するように使用をすすめる。例としては、コーヒー、ミルクティー等の飲料である。ゼーベック効果またの名を第一熱電効果、それは二種類の異なる電導体或るいは半導体の温度差異から引き起こされる二種類の物質間の電圧差の熱電現象を指すものである。一般には熱電勢方向を次のように定めている：熱端電子に於いてマイナスからプラスに流し、二種類の金属ＡとＢが組合せる回路の中で、もし二つの接触点の温度に差を設けさせたら、回路中に於いて電流が出現し熱電流と称する。相応する電動勢を熱電勢と称し、その方向は温度勾配の方向で取り決める。
【考案の概要】
【考案が解決しようとする課題】
【０００３】  現在の所、コーヒー、ミルクティー等に対して撹拌を進める装置で、外部電気供給を経る必要がある。或るいは、蓄電池を通じての充電がされている駆動装置が進める電気供給を通じ、電気エネルギーを消耗し、省エネ環境保護には足らず、且つ内部設置には撹拌設備があり、内釜は洗浄には不便である。この為、温度差利用発電の熱エネルギー撹拌カップの上述の技術上の一種の技術問題を解決を提供する必要がある。
【課題を解決するための手段】
【０００４】  カップ本体。内釜、連結カバーを通じてカップ本体の内部に固定する。  転換装置、カップ本体の内部且つ内釜の下部に設置する。既述の転換装置は取付板及び固定リテーナーを含み、既述の取付板には電気モーターがあり、既述のモーターの出力軸の一端に回転盤が設置され、既述の転盤の両側には第一磁石があり、既述の固定リテーナーのトップには金属リテーナーがある。既述の金属リテーナーの頂部は第一導熱シリカゲルを通じて温度差発電チップに繋がり、既述の温度差発電チップの頂部には第二導熱シリカゲルが粘着してあり、既述の第二導熱シリカゲルの頂部は既述の内釜の底部に接触し、既述の温度差発電チップは導線を通じてと取付板を通じて取付板に連結する。回転子、内釜の内部に設置し、両側には第二磁石がある。
【考案の効果】
【０００５】  転換装置を通じたゼーベック効果の利用は熱湯使用する飲料製品の熱湯中の熱量部分電気エネルギーに転化させ、駆動モーターは飲料の撹拌の進行に対して回転子を動かし、外部電源の消耗が不要で更なる省エネ環境保護が強化でき、且つ内釜は未だに撹拌設備は設置されておらず、洗浄に便利である。優秀品としては、既述の取付板は既述の内釜内壁の底部に固定され、既述の固定リテーナーはカップ本体内壁の両側の間且つ既述の取付板の上側に固定されている。優秀品としては、既述の内釜のトップ部分の設置には密封蓋があり、既述の連結カバーの片側の設置にはハンドルがあり、既述のカップ本体の底部の粘接には滑り止めパッドがある。滑り止めパッドはカップ本体を置いた時の安定性を増加させる事ができる。優秀品としては、既述のモーターの出力軸の一端の固定連結には連結棒があり、既述の温度差発電チップ、固定リテーナー、金属リテーナー、第一導熱シリカゲル、第二導熱シリカゲル上と内釜の底部には等しく通孔が開けてある。優秀品としては、既述の連結棒の頂端は通孔を通じて既述の内釜内部まで延ばしてあり、既述の連結棒の頂端の固定連結には構成装置の固定があり、既述の組立部品上の接続には回転軸があり、既述の回転軸の両側の設置には等しく撹拌葉がある。優秀品としては、既述の組立部品は固定具を含め、既述の固定具の内壁の底部は弾性具を通じて固定連結にはスクイーズブロックがあり、既述のスクイーズブロックの周囲面の粘接にはゴムリングがあり、既述の固定具のトップ部分の開設には取付孔があり、既述の取付孔内部表面の両側には等しく接続穴がある。
【図面の簡単な説明】
【０００６】
【図１】本実用新案が提供する温度差利用発電の熱エネルギー撹拌カップの第一実施例の構成説明図である。
【図２】図１が示す外部全体の構成説明図である。
【図３】本実用新案が提供する温度差利用発電の熱エネルギー撹拌カップの第二実施例の構成説明図である。
【図４】図３が示す温度差発電チップの構成説明図である。
【図５】図３が示す固定具の俯瞰図である。
【図６】図３が示すＡ部の俯瞰図である
【考案を実施するための形態】
【０００７】  以下は、図面と実施方法を合わせて本実用新案の説明に進める。
【実施例】
【０００８】  第一実施例  図１と図２を併せて参考下さい。その中で、図１は本実用新案が提供する温度差利用発電の熱エネルギー撹拌カップの第一実施例の構成説明図で、図２は図１が示す外部全体の構成説明図である。温度差利用発電の熱エネルギー撹拌カップは、以下のものを含める。【０００９】  カップ本体１。内釜２、既述の内釜２は連結カバー３を通じて既述のカップ本体１の内部に固定連結される。転換装置４、既述の転換装置４は既述のカップ本体１の内部且つ既述の内釜２の下部に設置され、既述の転換装置４は取付板４１と固定リテーナー４２を含める。既述の取付板４１上の通電性連結にはモーター４３があり、既述のモーター４３の出力軸の一端の固定連結には回転盤４４があり、既述の回転盤４４の両側の設置には等しく第一磁石４５があり、既述の固定リテーナー４２のトップ部分の固定連結には金属リテーナー４６があり、既述の金属リテーナー４６のトップ部分は第一導熱シリカゲルを通じて固定連結には温度差発電チップ４８があり、既述の温度差発電チップ４８のトップ部分の粘接には第二導熱シリカゲル４９があり、既述の第二導熱シリカゲル４９のトップ部分と既述の内釜２の底部接触し、既述の温度差発電チップ４８は導栓と取付板４１を通じて通電性連結する。【００１０】  回転子６、既述の回転子６は既述の内釜２の内部に設置され、既述の回転子６の両側の設置には第二磁石７がある。連結カバーはカップ本体１のトップ部分に固定され、且つ固定方法は粘接が優先して選ばれ溶接、内釜２と連結カバー３の内壁粘接、或るいは溶接などが可能である。取付板４１内部の設置には２つの導電銅チップがあり、モーター４３のプラスマイナス極は導線と導電銅チップを通じて通電性連結し、温度差発電チップ４８の両側のプラスマイナス極導線は導電銅線にて分かれ通電性連結し、導線通路を形成する。【００１１】  本実用新案が提供する温度差利用発電の熱エネルギー撹拌カップの機能原理は以下の通りである：撹拌される飲料を通じて内釜２に沿って側壁を内釜２の内部に置く。熱湯中の熱量は内釜２底部の第二導熱シリカゲル４９を通じて急速に熱量を温度差発電チップ４８の上部に伝える。そして、下部の金属リテーナー４６の温度は下がり、第一導熱シリカゲル４７の作用に於いて，温度差発電チップ４８は下部の熱量を金属リテーナー４６に伝える。【００１２】  温度差発電チップ４８の上下には必ず温度差が発生する。ゼーベック効果に拠って電流が生まれ、電流はそのプラスマイナス極上の導線を通じて取付板４１まで伝わり、そこからモーター４３を回転させる。モーター４３を動かし回転盤４４を回転させ、回転盤４４はその上の第一磁石４５を経て、分別はＳ極とＮ極であり、当回転盤の回転時、磁石も一緒に回転し、磁石のＳとＮ極と相対的位置の回転子も一緒に回転していき、そこから飲料の撹拌も進行する。撹拌後回転子６を取り出させる事もでき、それから内釜の洗浄の進行に対しては、撹拌設備を末だに設置していないので、内釜の洗浄が便利である。【００１３】  関係する技術と相対的に比較して、本実用新案が提供する温度差利用発電の熱エネルギー撹拌カップは下記の様な有益な効果を持つ：転換装置４を通じてゼーベック効果を利���し熱湯利用飲料製品の利用に於いて熱湯中の熱量部分を電気エネルギーに転化させ、駆動モーター４３は飲料の撹拌の進行に対して回転子を動かし、外部電源の消耗が不要になり省エネ環境保護を更に強化でき、且つ内釜２の内部は撹拌設備が未設置で洗浄に便利である。【００１４】  第二実施例  図３、図４、図５と図６を併せて参考下さい。本申請の第一実施例が提供する温度差利用発電の熱エネルギー撹拌カップに基づき、本申請の第二実施例が別の一種の温度差利用発電の熱エネルギーカップが提言される。第二実施例はただ第一実施例の優先方法ではあるが、第一実験の単独実施に影響を与えたりはしない。【００１５】  具体的には、本申請の第二実施例が提供する温度差利用発電の熱エネルギー撹拌カップの異なる点は既述のモーターの出力軸の一端の固定連結には連結棒１０があり、既述の温度差発電チップ４８、固定リテーナー４２、金属リテーナー４６、第一導熱シリカゲル４７、第二導熱シリカゲル４９上と内釜２の底部には等しく通孔１２が開設してある。【００１６】  温度差発電チップ４８の中間の設置には通孔１２があり、通孔１２にある位置内部には電器部品が未設置であり、通孔１２と連結棒１０は間隔配合である。既述の連結棒１０の頂端は通孔１２を通じて既述の内釜２の内部まで延び、既述の連結棒１０の頂端の固定連結には構成装置９があり、既述の構成装置９上の接続には回転軸１１があり、既述の回転軸１１の両側の設置には等しく撹拌葉がある。連結棒１０と内釜２の底部に位置する通孔１２内部は機械で密封されている。【００１７】  既述の構成装置９は固定具９１を含め、既述の固定具９１の内壁の底部は弾性具９２を通じて固定連結にはスクイーズブロック９３があり、既述のスクイーズブロック９３の周囲面の粘接にはゴムリングがあり、既述の固定具９１のトップ部分の開設には取付孔９４があり、既述の取付孔９４の内側表面の両側の接続には等しく接続穴９６がある。【００１８】  分解時、回転軸１１を下に押し、カードブロック１３を制限スロット９５から移出させ、回転軸１１を逆側の９０度に回転させ、カードブロック１３を接続穴９６を合わせてから、回転軸１１を組立部品９１から外すという簡単な取扱い方である。回転軸１１は取付と分解も簡単で、内釜２と撹拌設備の洗浄に便利であり。【００１９】  上述の内容は本実用新案の単なる実施例であり、本実用新案の特許範囲を制限するものではない。本実用新案取扱説明書及び図面の内容を利用して行った同じ効果の構造またはフロー変換、直接または間接的に他の関連技術分野に運用されるものは、すべて本実用新案の特許保護範囲に含まれる。
【図１】
0003229116.tif 000003
【図２】
0003229116.tif 000004
【図３】
0003229116.tif 000005
【図４】
0003229116.tif 000006
【図５】
0003229116.tif 000007
【図６】
0003229116.tif 000008
【手続補正書】
【提出日】令和2年3月13日(2020.3.13)
【手続補正１】
【補正対象書類名】実用新案登録請求の範囲
【補正対象項目名】請求項１
【補正方法】変更
【補正の内容】
【請求項１】
温度差発電を用いた熱エネルギー撹拌カップの一種で、カップ本体の特徴は、
（１）内釜は、連結カバーを通じてカップ本体の内部に固定してある、
（２）転換装置は、カップ本体の内部且つ内釜の下部に設置してある、
（３）転換装置は、取付板及び固定リテーナーを含む、
（４）取付板には、電気モーターを設置してある、
（５）モーターの出力軸の一端に回転盤を設置してある、
（６）転盤の両側には、第一磁石を設置してある、
（７）固定リテーナーの頂部には、金属リテーナーを固定してある、
（８）金属リテーナーの頂部は、第一導熱シリカゲルを通じて温度差発電チップに連結してある、
（９）温度差発電チップの頂部は、第二導熱シリカゲルが粘着してある、
（１０）第二導熱シリカゲルの頂部は、内釜の底部に接触してある、
（１１）温度差発電チップは、導線を通じて取付板と連結してある、
（１２）回転子は、内釜の内部に設置していて、両側に第二磁石を設置してある、
以上の（１）〜（１１）の構成からなる「自動かき混ぜステンレスマグカップＡＵＭＩＸ」である。
【手続補正２】
【補正対象書類名】実用新案登録請求の範囲
【補正対象項目名】請求項４
【補正方法】変更
【補正の内容】
【請求項４】
［請求項１］の温度差利用発電の熱エネルギーカップ、その特徴としては、モーター出力軸の一端の固定連結には連結棒があり、温度差発電チップ、固定リテーナー、金属リテーナー、第一導熱シリカゲル、第二導熱シリカゲル上及び内釜の底部には等しく通孔が開けてある。
【手続補正３】
【補正対象書類名】実用新案登録請求の範囲
【補正対象項目名】請求項６
【補正方法】変更
【補正の内容】
【請求項６】
［請求項５］の温度差利用発電の熱エネルギー撹拌カップは、その特徴として、組立部品は固定具を含め、固定具内壁の底部は弾性具を通じてスクイーズブロックが設置してあり、スクイーズブロックの周辺側面の粘接にはゴムリングがあり、固定具の頂部には取付孔が開けてあり、取付孔内表面の両側には接続穴がある。
【手続補正４】
【補正対象書類名】実用新案登録請求の範囲
【補正対象項目名】請求項７
【補正方法】変更
【補正の内容】
【請求項７】
［請求項６］の温度差利用発電の熱エネルギー撹拌カップ、その特徴として、固定具内壁のトップ部分の両側には制限スロットがあり、回転軸両側の底部にはカードブロックがある。
【手続補正書】
【提出日】令和2年7月15日(2020.7.15)
【手続補正１】
【補正対象書類名】実用新案登録請求の範囲
【補正対象項目名】全文
【補正方法】変更
【補正の内容】
【実用新案登録請求の範囲】
【請求項１】
温度差発電を用いた熱エネルギー撹拌カップの一種で、カップ本体の特徴は、
（１）内釜は、連結カバーを通じてカップ本体の内部に固定してある、
（２）転換装置は、カップ本体の内部且つ内釜の下部に設置してある、
（３）転換装置は、取付板及び固定リテーナーを含む、
（４）取付板には、電気モーターを設置してある、
（５）モーターの出力軸の一端に回転盤を設置してある、
（６）転盤の両側には、第一磁石を設置してある、
（７）固定リテーナーの頂部には、金属リテーナーを固定してある、
（８）金属リテーナーの頂部は、第一導熱シリカゲルを通じて温度差発電チップに連結してある、
（９）温度差発電チップの頂部は、第二導熱シリカゲルが粘着してある、
（１０）第二導熱シリカゲルの頂部は、内釜の底部に接触してある、
（１１）温度差発電チップは、導線を通じて取付板と連結してある、
（１２）回転子は、内釜の内部に設置していて、両側に第二磁石を設置してある、
以上の（１）〜（１１）の構成からなる「熱エネルギー撹拌カップ」である。
【請求項２】
請求項１に記載の温度差利用の発電の熱エネルギー撹拌カップは、その特徴として、取付板は内釜内壁の底部に固定してあり、固定リテーナーはカップ本体内壁の両側の間且つ取付板上側に固定してある。
【請求項３】
請求項１に記載の温度差利用発電の熱エネルギー撹拌カップ、その特徴としては、内釜のトップ部分の設置には密封蓋があり、連結カバーの片側の設置にはハンドルがあり、カップ本体の底部粘接には滑り止めパッドがある。
【請求項４】
請求項１に記載の温度差利用発電の熱エネルギーカップ、その特徴としては、モーター出力軸の一端の固定連結には連結棒があり、温度差発電チップ、固定リテーナー、金属リテーナー、第一導熱シリカゲル、第二導熱シリカゲル上及び内釜の底部には等しく通孔が開けてある。
【請求項５】
請求項４に記載の温度差利用発電の熱エネルギー撹拌カップは、その特徴として、連結棒の頂端通孔を通じて内釜内部まで延ばしてあり、連結棒の頂端の固定連結には組立部品があり、組立部品には回転軸があり、回転軸の両側には撹拌葉がある。
【請求項６】
請求項５に記載の温度差利用発電の熱エネルギー撹拌カップは、その特徴として、組立部品は固定具を含め、固定具内壁の底部は弾性具を通じてスクイーズブロックが設置してあり、スクイーズブロックの周辺側面の粘接にはゴムリングがあり、固定具の頂部には取付孔が開けてあり、取付孔内表面の両側には接続穴がある。
【請求項７】
請求項６に記載の温度差利用発電の熱エネルギー撹拌カップ、その特徴として、固定具内壁のトップ部分の両側には制限スロットがあり、回転軸両側の底部にはカードブロックがある。